【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
撮像装置に取り付け可能なアクセサリ装置であって、
前記撮像装置と通信する通信手段と、
角速度を検出する検出手段と、
第１のモードにおいて、第１の情報ではなく検出された前記角速度に基づいてレンズを制御し、第２のモードにおいて前記第１の情報に基づいて前記レンズを制御する制御手段と、を有し、
前記通信手段は、
前記第２のモードにおいて、前記角速度に対応する第２の情報と、第３の情報を送信し、
前記第２のモードにおいて、前記第１の情報と前記第３の情報を受信する、ことを特徴とするアクセサリ装置。
【請求項２】
前記通信手段は、前記角速度と前記第３の情報が同じ通信で送信されるように、前記第３の情報と共に前記角速度を送信し、
前記通信手段は、前記第１の情報と前記第３の情報は同じ通信で受信されるように、前記第３の情報と共に前記第１の情報を受信することを特徴とする請求項１に記載のアクセサリ装置。
【請求項３】
前記通信手段は、前記角速度の検出タイミングに関する第４の情報を受信し、
前記検出手段は、前記第４の情報に基づくタイミングで前記角速度を検出することを特徴とする請求項１または２に記載のアクセサリ装置。
【請求項４】
前記第１の情報は、前記角速度と被写体の動きとに基づく情報であることを特徴とする請求項１から３のいずれか一項に記載のアクセサリ装置。
【請求項５】
前記通信手段は、第５の情報を受信し、
前記第５の情報の受信は、露光開始タイミングに対応し、
前記検出手段は、前記第５の情報に基づくタイミングで前記角速度を検出することを特徴とする請求項１から４のいずれか一項に記載のアクセサリ装置。
【請求項６】
レンズ制御量を算出する算出手段を更に有し、
前記算出手段は、前記第１の情報、前記第３の情報および角加速度情報に基づいて前記レンズ制御量を算出することを特徴とする請求項１から５のいずれか一項に記載のアクセサリ装置。
【請求項７】
前記第３の情報は前記角速度が検出されるタイミングに対応する情報であることを特徴とする請求項１から６のいずれか一項に記載のアクセサリ装置。
【請求項８】
アクセサリ装置と通信する通信手段を有する制御装置であって、
前記アクセサリ装置の制御部は、第１のモードにおいて、第１の情報ではなく前記アクセサリ装置の検出手段により検出された角速度に基づいてレンズを制御し、第２のモードにおいて前記第１の情報に基づいて前記レンズを制御し、
前記通信手段は、
前記第２のモードにおいて、前記角速度に対応する第２の情報と、第３の情報を受信し、
前記第２のモードにおいて、前記第１の情報と前記第３の情報を送信することを特徴とする制御装置。
【請求項９】
前記通信手段は、前記角速度と前記第３の情報が同じ通信で受信されるように、前記第３の情報と共に前記角速度を受信し、
前記通信手段は、前記第１の情報と前記第３の情報が同じ通信で送信されるように、前記第３の情報と共に前記第１の情報を送信することを特徴とする請求項８に記載の制御装置。
【請求項１０】
前記通信手段は、前記角速度の検出タイミングに関する第４の情報を送信し、
前記検出手段は、前記第４の情報に基づくタイミングで前記角速度を検出することを特徴とする請求項８または９に記載の制御装置。
【請求項１１】
前記第１の情報は前記角速度と被写体の動きとに基づく情報であることを特徴とする請求項８から１０のいずれか一項に記載の制御装置。
【請求項１２】
前記通信手段は、第５の情報を送信し、
前記第５の情報の送信は、露光開始タイミングに対応し、
前記検出手段は、前記第５の情報に基づくタイミングで前記角速度を検出することを特徴とする請求項８から１１のいずれか一項に記載の制御装置。
【請求項１３】
前記アクセサリ装置は、レンズ制御量を算出する算出手段を更に有し、
前記算出手段は、前記第１の情報、前記第３の情報、および角加速度情報に基づいて、前記レンズ制御量を算出することを特徴とする請求項８から１２のいずれか一項に記載の制御装置。
【請求項１４】
前記第３の情報は前記角速度が検出されるタイミングに対応する情報であることを特徴とする請求項８から１３のいずれか一項に記載の制御装置。
【請求項１５】
撮像装置に取り付け可能であり、前記撮像装置と通信する通信手段を有するアクセサリ装置の制御方法であって、
角速度を検出するステップと、
第１のモードにおいて、第１の情報ではなく検出された前記角速度に基づいてレンズを制御し、第２のモードにおいて前記第１の情報に基づいて前記レンズを制御するステップと、
前記第２のモードにおいて、前記角速度に対応する第２の情報と、第３の情報を送信するステップと、
前記第２のモードにおいて、前記第１の情報と前記第３の情報とを受信するステップと、を有することを特徴とする制御方法。
【請求項１６】
レンズ制御量を算出するステップを更に有し、
前記レンズ制御量は、前記第１の情報、前記第３の情報、および角加速度情報に基づいて算出されることを特徴とする請求項１５に記載の制御方法。
【請求項１７】
アクセサリ装置と通信する通信手段を有する制御装置の制御方法であって、
前記アクセサリ装置の制御部は、第１のモードにおいて、第１の情報ではなく前記アクセサリ装置の検出手段により検出された角速度に基づいてレンズを制御し、第２のモードにおいて前記第１の情報に基づいて前記レンズを制御し、
前記第２のモードにおいて、前記角速度に対応する第２の情報と、第３の情報を受信するステップと、
前記第２のモードにおいて、前記第１の情報と前記第３の情報を送信するステップとを有することを特徴とする制御方法。
【手続補正２】
【補正対象書類名】明細書
【補正対象項目名】発明の名称
【補正方法】変更
【補正の内容】
【発明の名称】アクセサリ装置、制御装置、これらの制御方法
【手続補正３】
【補正対象書類名】明細書
【補正対象項目名】０００１
【補正方法】変更
【補正の内容】
【０００１】
本発明は、流し撮りアシストを行うアクセサリ装置に関する。
【手続補正４】
【補正対象書類名】明細書
【補正対象項目名】０００９
【補正方法】変更
【補正の内容】
【０００９】
そこで本発明は、流し撮りアシスト性能を向上させたアクセサリ装置、制御装置、これらの制御方法を提供する。
【手続補正５】
【補正対象書類名】明細書
【補正対象項目名】００１０
【補正方法】変更
【補正の内容】
【００１０】
本発明の一側面としてのアクセサリ装置は、撮像装置に取り付け可能なアクセサリ装置であって、前記撮像装置と通信する通信手段と、角速度を検出する検出手段と、第１のモードにおいて、第１の情報ではなく検出された前記角速度に基づいてレンズを制御し、第２のモードにおいて前記第１の情報に基づいて前記レンズを制御する制御手段と、を有し、前記通信手段は、前記第２のモードにおいて、前記角速度に対応する第２の情報と、第３の情報を送信し、前記第２のモードにおいて、前記第１の情報と前記第３の情報を受信する、ことを特徴とする。
【手続補正６】
【補正対象書類名】明細書
【補正対象項目名】００１１
【補正方法】変更
【補正の内容】
【００１１】
本発明の他の側面としての制御装置は、アクセサリ装置と通信する通信手段を有する制御装置であって、前記アクセサリ装置の制御部は、第１のモードにおいて、第１の情報ではなく前記アクセサリ装置の検出手段により検出された角速度に基づいてレンズを制御し、第２のモードにおいて前記第１の情報に基づいて前記レンズを制御し、前記通信手段は、前記第２のモードにおいて、前記角速度に対応する第２の情報と、第３の情報を受信し、前記第２のモードにおいて、前記第１の情報と前記第３の情報を送信することを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
本発明の他の側面としてのアクセサリ装置の制御方法は、撮像装置に取り付け可能であり、前記撮像装置と通信する通信手段を有するアクセサリ装置の制御方法であって、角速度を検出するステップと、第１のモードにおいて、第１の情報ではなく検出された前記角速度に基づいてレンズを制御し、第２のモードにおいて前記第１の情報に基づいて前記レンズを制御するステップと、前記第２のモードにおいて、前記角速度に対応する第２の情報と、第３の情報を送信するステップと、前記第２のモードにおいて、前記第１の情報と前記第３の情報とを受信するステップと、を有することを特徴とする。
【手続補正１０】
【補正対象書類名】明細書
【補正対象項目名】００１５
【補正方法】変更
【補正の内容】
【００１５】
本発明の他の側面としての制御装置の制御方法は、アクセサリ装置と通信する通信手段を有する制御装置の制御方法であって、前記アクセサリ装置の制御部は、第１のモードにおいて、第１の情報ではなく前記アクセサリ装置の検出手段により検出された角速度に基づいてレンズを制御し、第２のモードにおいて前記第１の情報に基づいて前記レンズを制御し、前記第２のモードにおいて、前記角速度に対応する第２の情報と、第３の情報を受信するステップと、前記第２のモードにおいて、前記第１の情報と前記第３の情報を送信するステップとを有することを特徴とする。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１９
【補正方法】変更
【補正の内容】
【００１９】
本発明によれば、流し撮りアシスト性能を向上させたアクセサリ装置、制御装置、これらの制御方法を提供することができる。